【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
動作時に第1のスペクトルパワー分布を有する光を生成するように構成された第1の発光素子、および
動作時に前記第1のスペクトルパワー分布とは異なる第2のスペクトルパワー分布を有する光を生成するように構成された第2の発光素子を含む複数の発光素子と、
前記第1および第2の発光素子から間隔を置いて配置されかつ前記第1および第2の発光素子から光を受け取るように位置する第1の表面を有する第1の光学素子であって、前記第1および第2の発光素子からの前記光を実質的に等方的に散乱させ、前記第1および第2の発光素子からの光を含み混合スペクトルパワー分布を有する混合光を生成するように配置された弾性散乱中心を備える第1の光学素子と、
出射面を有する透明な材料から形成された第2の光学素子であって、前記第1の光学素子と接触し、前記第1の光学素子と前記第2の光学素子との間の接触場所に光学的界面があり、前記光学的界面が前記第1の光学素子の前記第1の表面の反対側にあり、前記第2の光学素子が前記混合光の幾分かを前記光学的界面を通して受け取るように配置された第2の光学素子と
を備える発光デバイスであって、
前記第1の光学素子の前記第1の表面に隣接し屈折率n0を有する媒質を含み、前記第1の光学素子は、第1の屈折率n1を有し、ただしn0<n1である材料を含み、
前記透明な材料は、屈折率n2を有し、ただしn0<n2であり、
前記出射面は、前記第1の光学素子によって生成され前記出射面に直接当たる前記混合光の前記出射面上での入射角が全内部反射の臨界角よりも小さくなるように形作られた透明な表面であり、
前記発光デバイスは前記出射面を通して混合光を出力する、発光デバイス。
【請求項２】
動作時に第1および第2の色度とは異なる第3のスペクトルパワー分布を有する光を生成するように構成された第3の発光素子と、
動作時に前記第1、第2、および第3の色度とは異なる第4のスペクトルパワー分布を有する光を生成するように構成された第4の発光素子とをさらに備え、
前記弾性散乱中心は、前記第3および第4の発光素子からの光をさらに等方的に散乱させ、
前記混合光は、前記第3および第4の発光素子からの散乱光をさらに含む、請求項1に記載の発光デバイス。
【請求項３】
前記第1のスペクトルパワー分布によって定められる第1の色度は、前記第2のスペクトルパワー分布によって定められる第2の色度とは異なる、請求項1に記載の発光デバイス。
【請求項４】
前記第1の光学素子は、内部に発光素子からの光が放出されるエンクロージャを画定するシェルであり、前記シェルは、前記第1の表面からの少なくとも幾分かの光がそのまま、前記エンクロージャを通過して前記第1の表面まで伝搬するように形作られる、請求項1に記載の発光デバイス。
【請求項５】
前記シェルは前記エンクロージャに対して凹状を有する、請求項4に記載の発光デバイス。
【請求項６】
前記シェルは楕円形を有する、請求項5に記載の発光デバイス。
【請求項７】
前記楕円形は扁長または扁平である、請求項6に記載の発光デバイス。
【請求項８】
前記楕円形は三軸である、請求項7に記載の発光デバイス。
【請求項９】
前記シェルは、前記発光素子を受け入れるように構成された1つまたは複数の開口部を有する、請求項4に記載の発光デバイス。
【請求項１０】
前記1つまたは複数の開口部内に配置された1つまたは複数の反射体をさらに備え、前記1つまたは複数の反射体は前記エンクロージャに面しかつ前記エンクロージャを囲むように構成された1つまたは複数の反射面を有する、請求項9に記載の発光デバイス。
【請求項１１】
反射面を有する反射体をさらに備え、前記反射面と前記第1の表面は一緒に、内部に前記発光素子からのすべての光が放出されるエンクロージャを画定する、請求項1に記載の発光デバイス。
【請求項１２】
前記反射面は平面状である、請求項11に記載の発光デバイス。
【請求項１３】
前記反射面は前記エンクロージャに対して凸状を有する、請求項11に記載の発光デバイス。
【請求項１４】
前記第1の表面は平面状である、請求項11に記載の発光デバイス。
【請求項１５】
前記第1の表面は前記エンクロージャに対して凸状を有する、請求項11に記載の発光デバイス。
【請求項１６】
前記反射面は鏡面反射部を備える、請求項11に記載の発光デバイス。
【請求項１７】
前記反射面は拡散反射部を備える、請求項11に記載の発光デバイス。
【請求項１８】
前記出射面は、各部分が縁部の所で別の部分に接合された複数の部分を備える、請求項1に記載の発光デバイス。
【請求項１９】
前記反射面は4つの部分を備える、請求項18に記載の発光デバイス。
【請求項２０】
前記出射面は、2つの直交する半円筒が交差する外接面に相当する、請求項19に記載の発光デバイス。
【請求項２１】
前記反射面は、前記発光素子からの光を前記第1の表面の方へ向けるように構成される、請求項11に記載の発光デバイス。
【請求項２２】
前記発光素子から光を受け取りかつ前記第1の表面に光を送るように前記発光素子と前記第1の表面との間に位置する透明な材料から形成された第3の素子をさらに備える、請求項1に記載の発光デバイス。
【請求項２３】
前記第3の素子はギャップによって前記第1の表面から分離される、請求項22に記載の発光デバイス。
【請求項２４】
前記混合光の前記部分の一部を前記出射面を通して出力される前に受け取るように配置され、前記混合光の前記部分の前記一部に基づくセンサ信号を生成するように構成されたセンサと、
前記センサと通信し、前記センサ信号に応答して前記第1および第2の発光素子に供給される電力を制御するように構成された制御回路とをさらに備える、請求項1に記載の発光デバイス。
【請求項２５】
前記センサ信号は、前記混合光の前記部分の前記一部の強度分布およびスペクトル密度分布のうちの1つまたは複数の推定値を示すように構成される、請求項24に記載の発光デバイス。
【請求項２６】
制御回路は、前記発光デバイスが経年劣化するにつれて前記発光デバイスによって放出される前記光の変化を低減させるように前記各発光素子に供給される電力の量を制御する、請求項24に記載の発光デバイス。
【請求項２７】
前記制御回路は、前記発光デバイスが動作温度を変化させるにつれて前記発光デバイスによって放出される前記光の変化を低減させるように前記各発光素子に供給される電力の量を制御する、請求項24に記載の発光デバイス。
【請求項２８】
制御回路は、前記発光デバイスの動作時にユーザによって供給される入力信号に基づいて前記発光デバイスによって放出される前記光の変化を制御するように前記発光素子に供給される電力の量を調整する、請求項24に記載の発光デバイス。
【請求項２９】
前記第2の光学素子は第1の部分と光導波路とを備え、前記第1の部分は、前記出射面を有し、かつ前記光学的界面から前記混合光の第1の部分を受け取るように配置され、前記光導波路は、前記光学的界面から前記混合光の第2の部分を受け取るように配置され、前記混合光の前記受け取られた第2の部分の少なくとも幾分かを反射させることによって前記混合光の前記受け取られた第2の部分を前記光学的界面から離れる方向に案内するように構成された案内面を有する、請求項1に記載の発光デバイス。
【請求項３０】
前記出射面は、少なくとも部分的に透明である第1の出射面および第2の出射面と、前記第1の出射面と第2の出射面との間に配置された段とを備える、請求項1に記載の発光デバイス。
【請求項３１】
前記第1の光学素子は実質的に均一の有効厚さを有する、請求項1に記載の発光デバイス。
【請求項３２】
n1≒n2である、請求項1に記載の発光デバイス。
【請求項３３】
n0≒1である、請求項32に記載の発光デバイス。
【請求項３４】
前記出射面は、前記出射面に直接当たる前記混合光の前記出射面上の入射角がブリュースター角よりも小さくなるように形作られる、請求項1に記載の発光デバイス。
【請求項３５】
断面について、前記出射面上の各点pは対応する曲率半径R(p)を有し、前記第1および第2の光学素子は、前記光学的界面上の各点が前記出射面から少なくとも対応する距離d(p)に位置するように配置され、
ただし、d(p)=R(p)*(1-k/n2)であり、
kは、k<n2であるように正の実数である、請求項1に記載の発光デバイス。
【請求項３６】
k/n2<0.8である、請求項35に記載の発光デバイス。
【請求項３７】
k<1である、請求項35に記載の発光デバイス。
【請求項３８】
【数１】
2017208576.tif 000001
が成立する、請求項37に記載の発光デバイス。
【請求項３９】
前記光学的界面上の各点は、前記出射面上の対応する最も近い点からの距離d(p)である、請求項35に記載の発光デバイス。
【請求項４０】
前記第1の光学素子の対称軸と前記第2の光学素子の対称軸は同一線上にある、請求項1に記載の発光デバイス。
【請求項４１】
前記1つまたは複数の発光素子は、前記第1の光学素子の前記対称軸に対して対称に位置する、請求項40に記載の発光デバイス。
【請求項４２】
前記第1および第2の光学素子は、軸に沿って延び、前記軸に沿って実質的に変化しない断面を有する、請求項1に記載の発光デバイス。
【請求項４３】
前記出射面は球面または円筒面である、請求項1に記載の発光デバイス。
【請求項４４】
前記媒質は気体である、請求項1に記載の発光デバイス。
【請求項４５】
前記気体は空気である、請求項44に記載の発光デバイス。
【請求項４６】
前記発光デバイスは発光ダイオードを備える、請求項1に記載の発光デバイス。
【請求項４７】
前記第1の光学素子は、屈折率n1を有する前記材料内に分散された前記弾性散乱中心を備える、請求項1に記載の発光デバイス。
【請求項４８】
前記透明な材料はプラスチックまたはガラスである、請求項1に記載の発光デバイス。